(57)【特許請求の範囲】
【請求項１】
試料中のヘモグロビンをｐＨ５．５〜１０．０の緩衝液に溶解したテトラゾリウム化合物で変性させ、得られた変性ヘモグロビンに特異的な吸収波長で、前記試料の光学的変化量を測定し、この光学的変化量から前記試料中のヘモグロビン量を算出するヘモグロビンの測定方法。
【請求項２】
光学的変化量が、吸光度または反射率である請求項１記載のヘモグロビン測定方法。
【請求項３】
測定波長が、４４０〜７００ｎｍの範囲である請求項１記載のヘモグロビン測定方法。
【請求項４】
テトラゾリウム化合物が、テトラゾール環の少なくとも２箇所に環構造置換基を有する請求項１記載のヘモグロビン測定方法。
【請求項５】
テトラゾリウム化合物が、テトラゾール環の２位および３位にベンゼン環を有し、前記ベンゼン環のうち少なくとも一方が、ハロゲン基、カルボキシ基、ニトロ基、ヒドロキシ基、スルホ基、メトキシ基およびエトキシ基からなる群から選択された少なくとも一つの官能基を有する請求項１記載のヘモグロビン測定方法。
【請求項６】
テトラゾリウム化合物が、2-(4-ヨードフェニル)-3-(2,4-ジニトロフェニル)-5-(2,4-ジスルホフェニル)-2H-テトラゾリウム塩である請求項１記載のヘモグロビン測定方法。
【請求項７】
テトラゾリウム化合物を、試料１μＬ当たり、０．００１〜１００μｍｏｌの範囲で添加する請求項１記載のヘモグロビン測定方法
【請求項８】
界面活性剤の存在下において、前記試料中のヘモグロビンをテトラゾリウム化合物で処理する請求項１記載のヘモグロビン測定方法。
【請求項９】
界面活性剤が、ポリオキシエチレンエーテルである請求項８記載のヘモグロビン測定方法。
【請求項１０】
界面活性剤を、テトラゾリウム化合物１ｍｏｌに対し、０．０１〜７０ｍｏｌの範囲で添加する請求項８記載のヘモグロビン測定方法。
【請求項１１】
試料が赤血球を含む請求項１記載のヘモグロビン測定方法。
【請求項１２】
糖化ヘモグロビンを含む試料について、請求項１記載のヘモグロビン測定方法によりヘモグロビン量を測定し、他方、得られた変性ヘモグロビンの糖化部分とフルクトシルアミノ酸オキシダーゼとを反応させ、この酸化還元反応を測定することによりヘモグロビンの糖化量を測定し、前記ヘモグロビン量と前記糖化量とからヘモグロビン糖化率を求めるヘモグロビン糖化率の測定方法。
【請求項１３】
変性ヘモグロビンの糖化部分とフルクトシルアミノ酸オキシダーゼとを反応させる前に、前記変性ヘモグロビンをプロテアーゼ処理する請求項１２記載のヘモグロビン糖化率測定方法。
【請求項１４】
変性ヘモグロビンに特異的な吸収波長で、前記試料の光学的変化量を測定した後、前記変性ヘモグロビンの糖化部分とフルクトシルアミノ酸オキシダーゼとを反応させる請求項１２記載のヘモグロビン糖化率測定方法。
【請求項１５】
変性ヘモグロビンに特異的な吸収波長で、前記試料の光学的変化量を測定した後、前記変性ヘモグロビンをプロテアーゼ処理し、前記変性ヘモグロビン分解物の糖化部分とフルクトシルアミノ酸オキシダーゼとを反応させる請求項１４記載のヘモグロビン糖化率測定方法。
【請求項１６】
変性ヘモグロビンをプロテアーゼ処理し、前記変性ヘモグロビンに特異的な吸収波長で、前記試料の光学的変化量を測定した後、前記変性ヘモグロビン分解物の糖化部分とフルクトシルアミノ酸オキシダーゼとを反応させる請求項１４記載のヘモグロビン糖化率測定方法。
【請求項１７】
変性ヘモグロビンの糖化部分とフルクトシルアミノ酸オキシダーゼとを反応させた後、前記変性ヘモグロビンに特異的な吸収波長における前記試料の光学的変化量の測定および前記酸化還元反応の測定を行う請求項１２記載のヘモグロビン糖化率測定方法。
【請求項１８】
前記酸化還元反応の測定が、それにより生じた発色物質の光学的変化量の測定である請求項１２記載のヘモグロビン糖化率測定方法。
【請求項１９】
前記発色物質の光学的変化量が、変性ヘモグロビンの糖化部分とフルクトシルアミノ酸オキシダーゼとの反応により生成する過酸化水素量に対応する請求項１８記載のヘモグロビン糖化率測定方法。
【請求項２０】
前記発色物質が、酸化酵素を用いて過酸化水素と酸化により発色する基質とを反応さることにより発色した前記基質である請求項１９記載のヘモグロビン糖化率測定方法。
【請求項２１】
発色物質の測定波長が、６５０〜９００ｍｍである請求項１８記載のヘモグロビン糖化率測定方法。
【請求項２２】
ヘモグロビン量を測定するための測定波長と、発色物質の測定波長とが、同一波長である請求項１８記載のヘモグロビン糖化率測定方法。
【発明の詳細な説明】
技術分野
本発明は、試料中のヘモグロビン（Ｈｂ）量を測定する方法に関する。
背景技術
血液中のＨｂは、肺から身体の各器官に酸素を運搬するという重要な役割を担っているため、例えば、白血病や貧血等の病気に関係している。このため、その量を測定することは、臨床分析の分野において非常に重要視されている。また、糖化されたＨｂは、生体血糖値の過去の履歴を反映し、糖尿病診断や治療等における指標となるため、その糖化率の測定も重要となっている。そして、この糖化率の測定には、Ｈｂ量の測定が不可欠である。
Ｈｂの測定方法としては、吸光度による測定が考えられる。しかし、前記未変性Ｈｂは、例えば、酸素と結合した状態や未結合の状態等、その態様によって吸収極大を示す波長が異なるため、単純に吸光度を測定しても、Ｈｂ量を正確に求めることは困難である。そこで、従来は、Ｈｂを変性により安定化させ、その吸光度を測定する方法がとられている。このような方法としては、例えば、シアンメトヘモグロビン法（ＨｉＣＮ法）、アジドメトヘモグロビン法、ラウリルスルホン酸ナトリウム（ＳＬＳ）法、アルカリヘマチン法等があげられ、この中でも、特に国際標準であるＨｉＣＮ法が広く採用されている。このＨｉＣＮ法は、血液にフェリシアン化カリウムおよびシアン化カリウムを含む試薬を添加することによって、Ｈｂを安定なシアンメトヘモグロビンに変換し、所定の波長（５４０ｎｍ）における吸光度を測定することによってＨｂ量を求める方法である。
発明の開示
しかしながら、前記ＨｉＣＮ法によると有害なシアン廃液が、前記アジドメトヘモグロビン法によるとアジ化ソーダ廃液がそれぞれ生じるため、環境面において問題があった。また、前記ＳＬＳ法やアルカリヘマチン法は、タンパク質の変性剤であるＳＬＳや強アルカリの試薬を試料に添加するため、前記試薬添加後の試料をそのまま他の項目の測定に用いると、前記試薬が、例えば、酵素等を用いる測定系に影響を与え、測定が困難になるという問題があった。このため、処理後の試料に対して、変性Ｈｂの測定とその他の測定とを一連の操作で行うことは困難であった。
そこで、本発明の目的は、Ｈｂ量を環境上問題なく容易かつ正確に測定できるＨｂ測定方法の提供である。
前記目的を達成するために、本発明のＨｂの測定方法は、試料中のヘモグロビンをテトラゾリウム化合物で変性させ、得られた変性ヘモグロビンに特異的な吸収波長で、前記試料の光学的変化量を測定し、この光学的変化量から前記試料中のヘモグロビン量を算出する方法である。なお、本発明において、変性Ｈｂとは、テトラゾリウム化合物により変性されたヘモグロビンをいう。
本発明の測定方法によれば、テトラゾリウム化合物で変性された変性Ｈｂは安定であり、その態様により様々な吸収波長を有する未変性Ｈｂとは異なり、吸収極大を示す波長が一定範囲になるため、容易にＨｂ量を求めることができる。また、前述のようにシアン化合物や強アルカリ物質等を使用せず、環境面でも安全なため、有用な方法である。
本発明の測定方法において、前記光学的変化量としては、例えば、吸光度や反射率等があげられる。
前記テトラゾリウム化合物としては、特に制限されず、例えば、後述のものが使用できるが、特に好ましくは２−（４−ヨードフェニル）−３−（２，４−ジニトロフェニル）−５−（２，４−ジスルホフェニル）−２Ｈ−テトラゾリウム塩（例えば、商品名ＷＳＴ−３、同仁化学研究所社製）である。
本発明の測定方法において、変性Ｈｂの測定波長は、４４０〜７００ｎｍの範囲が好ましく、より好ましくは５００〜６７０ｎｍの範囲であり、特に好ましくは５４０〜６７０ｎｍの範囲である。
本発明の測定方法において、前記テトラゾリウム化合物の添加量は、特に制限されず、前記試料の種類等により適宜決定できる。具体的には、例えば、試料１μＬ当たり、前記テトラゾリウム化合物を、０．００１〜１００μｍｏｌの範囲になるように添加することが好ましく、より好ましくは０．０１〜１０μｍｏｌの範囲、特に好ましくは、０．０５〜５μｍｏｌの範囲である。
前記試料は、特に制限されないが、後述のように赤血球を含む試料が好ましく、例えば、全血があげられる。全血試料の場合、テトラゾリウム化合物の添加量は、前記試料１μＬ当たり、例えば、０．０１〜３０μｍｏｌの範囲であることが好ましく、より好ましくは０．０５〜１０μｍｏｌの範囲であり、特に好ましくは０．１〜５μｍｏｌの範囲である。なお、全血における血球濃度は、通常、約５０重量％と推定される。
本発明の測定方法は、界面活性剤の存在下において、前記試料中のヘモグロビンをテトラゾリウム化合物で処理することが好ましい。このように、さらに界面活性剤が共存すれば、より一層Ｈｂの変性が促進され、迅速にＨｂ測定を行えるからである。
前記界面活性剤の添加量は、特に制限されず、例えば、前記テトラゾリウム化合物の添加量等によって適宜決定できる。具体的には、界面活性剤の添加量は、テトラゾリウム化合物１ｍｏｌに対し、例えば、０．０１〜７０ｍｏｌの範囲であり、好ましくは．０．０５〜５０ｍｏｌの範囲であり、より好ましくは０．１〜２０ｍｏｌの範囲である。
本発明の測定方法において、前記試料は、特に制限されないが、全血、血漿、血清、血球等の血液試料等があげられる。好ましくは赤血球を含む試料であり、具体的には全血試料、血球試料等である。
つぎに、本発明のＨｂ糖化率測定方法は、糖化Ｈｂを含む試料について、前記本発明のＨｂ測定方法によりＨｂ量を測定し、他方、得られた前記変性Ｈｂの糖化部分とフルクトシルアミノ酸オキシダーゼ（以下、「ＦＡＯＤ」という）とを反応させ、この酸化還元反応を測定することによりＨｂの糖化量を測定し、前記Ｈｂ量と前記糖化量とからＨｂ糖化率を求める方法である。なお、Ｈｂ量とは、糖化されているＨｂおよび糖化されていないＨｂの双方を含む。
本発明のＨｂ糖化率の測定方法は、前述と同様に有害廃液を生じることがなく環境面に優れるため、有用な方法である。また、前記テトラゾリウム化合物は、前記強アルカリ性試薬等とは異なり、前記酸化還元反応を用いた酵素法による糖化量測定に対して、酵素の失活等の影響を与えない。このため、テトラゾリウム化合物で処理した試料を用いて、前述のようなＨｂ測定だけでなく、糖化量測定をも一連の操作で行うことができ、簡便である。このため、例えば、一つの測定装置を用いて、一つの反応系で本発明の測定を行うことができる。また、前記テトラゾリウム化合物を試料に添加すれば、Ｈｂを変性できるだけでなく、さらに、前記試料中に存在する前記酸化還元反応に影響を与える還元物質の影響をも除去できるため、より高精度に糖化率を求めることができる。
本発明のＨｂ糖化率の測定方法において、変性Ｈｂの測定波長は、前述と同様に、４４０〜７００ｎｍの範囲が好ましく、より好ましくは５００〜６７０ｎｍの範囲であり、特に好ましくは５４０〜６７０ｎｍの範囲である。
本発明の測定方法において、前記酸化還元反応の測定は、それにより生じた発色物質の光学的変化量の測定であることが好ましい。なお、光学的変化量とは、前述と同様に、例えば、吸光度や反射率等をいう。
前述のような酵素法において、光学的変化量の測定を行う場合、通常、二波長測定が主流である。前記二波長測定では、例えば、測定する対象物（例えば、発色物質）の極大吸収を示す波長を主波長として前記対象物を測定し、さらに前記主波長と異なる波長を副波長とし、電気的ノイズ、試料の濁り、光量の変化等を校正する。したがって、副波長は、他の混在する物質が吸収を示さない波長に設定することが好ましい。前記主波長は、前記測定する対象物の吸収波長により適宜決定されるが、一般に約６５０ｎｍ〜８００ｎｍの範囲であり、この場合、副波長はそれよりも高い波長約８００〜９００ｎｍの範囲に設定される。しかしながら、未変性のＨｂは、前述のように、酸素と結合している形態、非結合形態等、その形態によって様々な波長に吸収を示し不安定であるため、例えば、前述のような発色性基質等の吸光度により糖化量を測定する場合、副波長においてもＨｂによる吸収が見られ、正確に糖化量の測定を行うことが困難であった。しかしながら、テトラゾリウム化合物処理によって得られた変性Ｈｂの測定波長は、前述に示す通りである。したがって、例えば、糖化量の測定における副波長を８００ｎｍ〜９００ｎｍの範囲に設定しても、本発明によれば、前述のように形態に依存して不安定である未変性Ｈｂの吸収による影響は見られない。このため、糖化量の測定を高精度で行うことができる。
前記発色物質の測定波長としては、例えば、５００〜８００ｎｍの範囲であり、好ましくは５４０〜７５０ｎｍの範囲である。
なお、前記Ｈｂ量を測定するための測定波長と、前記発色物質の測定波長を、後述のように同一の波長に設定してもよい。この場合は、測定波長を、例えば、５００〜６７０ｎｍの範囲に設定することが好ましく、より好ましくは５４０〜６７０ｎｍの範囲である。
本発明のＨｂ糖化率の測定方法は、前記変性Ｈｂの糖化部分とＦＡＯＤとを反応させる前に、前記変性Ｈｂをプロテアーゼ処理することが好ましい。前記ＦＡＯＤは、糖化タンパク質や糖化ペプチドよりも、糖化アミノ酸や、より短い糖化ペプチド断片に作用し易い。このため、予め前記変性Ｈｂをプロテアーゼで分解すれば、前記ＦＡＯＤが糖化部分に作用し易くなり、測定精度を向上できるからである。
前述のように、本発明のＨｂ測定方法を適用すれば、Ｈｂを変性させた試料をそのまま、Ｈｂ糖化量の測定試料として使用できる。したがって、前記試料についてのＨｂ量の測定およびＨｂ糖化量の測定は、例えば、以下に示す順序で行うことができる。
第１の方法は、例えば、変性Ｈｂに特異的な吸収波長で、前記試料の光学的変化量を測定した後、前記変性Ｈｂの糖化部分とＦＡＯＤとを反応させる方法である。
この第１の方法においてプロテアーゼ処理を行う場合は、例えば、変性Ｈｂに特異的な吸収波長で、前記試料の光学的変化量を測定した後、前記変性Ｈｂをプロテアーゼ処理し、前記変性Ｈｂ分解物の糖化部分とＦＡＯＤとを反応させてもよい。また、変性Ｈｂをプロテアーゼ処理してから、前記変性Ｈｂに特異的な吸収波長で、前記試料の光学的変化量を測定し、その後、前記変性Ｈｂ分解物の糖化部分とＦＡＯＤとを反応させてもよい。
また、第２の方法は、例えば、変性Ｈｂの糖化部分とＦＡＯＤとを反応させた後、前記変性Ｈｂに特異的な吸収波長における前記試料の光学的変化量の測定および前記酸化還元反応の測定を行う方法である。この方法の場合、例えば、変性Ｈｂの測定波長と発色物質の測定波長とを、異なる波長に設定することによって、同時に両者の光学的変化量を測定することもできる。
この第２の方法においてプロテアーゼ処理を行う場合は、例えば、変性Ｈｂの糖化部分とＦＡＯＤとを反応させる前に、前記変性Ｈｂをプロテアーゼ処理すればよい。
本発明のＨｂ糖化率測定方法において、前記発色物質の光学的変化量は、前記変性Ｈｂの糖化部分とＦＡＯＤとを反応させることにより生成する過酸化水素量に対応することが好ましい。前記発色物質は、例えば、酸化酵素および酸化により発色する基質（以下、発色性基質という）を用い、前記過酸化水素と前記発色性基質とを、前記酸化酵素により反応させた場合の、発色した前記発色性基質であることが好ましい。
前記酸化酵素としては、特に制限されないが、ＰＯＤが好ましい。前記発色性基質としては、特に制限されないが、高感度に検出可能であることから、例えば、Ｎ−（カルボキシメチルアミノカルボニル）−４，４’−ビス（ジメチルアミノ）ジフェニルアミンナトリウム（例えば、商品名ＤＡ−６４：和光純薬工業社製）が好ましい。
本発明のＨｂ糖化率の測定方法において、前記試料は、特に制限されず、前述と同様のものがあげられる。
発明を実施するための最良の形態
本発明のＨｂ測定方法において使用するテトラゾリウム化合物は、例えば、テトラゾール環の少なくとも２箇所に環構造置換基を有することが好ましく、より好ましくは、３箇所に環構造置換基を有する構造である。
前記テトラゾリウム化合物が、前述のように、前記テトラゾール環の少なくとも２箇所に環構造置換基を有する場合、前記置換基を、前記テトラゾール環の２位および３位に有することが好ましい。また、テトラゾリウム化合物が３箇所に環構造置換基を有する場合は、前記置換基を、前記テトラゾール環の２位、３位および５位に有することが好ましい。
また、前記テトラゾリウム化合物の少なくとも２つの環構造置換基の環構造がベンゼン環であることが好ましい。また、ベンゼン環以外の環構造置換基としては、例えば、環骨格にＳまたはＯを含み、かつ共鳴構造である置換基があげられ、例えば、チエニル基、チアゾイル基等である。
前記テトラゾリウム化合物は、テトラゾール環の少なくとも３箇所に環構造置換基を有し、前記環構造置換基のうち少なくとも２つの環構造置換基の環構造がベンゼン環であることが好ましい。
前記テトラゾリウム化合物の少なくとも１つの環構造置換基が官能基を有することが好ましく、前記官能基の数が多いことがより好ましい。
前記官能基としては、電子吸引性の官能基が好ましく、例えば、ハロゲン基、エーテル基、エステル基、カルボキシ基、アシル基、ニトロソ基、ニトロ基、ヒドロキシ基、スルホ基等があげられる。この他にも、例えば、ヒドロペルオキシ基、オキシ基、エポキシ基、エピジオキシ基、オキソ基等の酸素を含む特性基や、メルカプト基、アルキルチオ基、メチルチオメチル基、チオキソ基、スルフィノ基、ベンゼンスルホニル基、フェニルスルホニル基、ｐ−トルエンスルホニル基、ｐ−トリルスルホニル基、トシル基、スルファモイル基、イソチオシアネート基等の硫黄を含む特性基等があげられる。これらの電子吸引性官能基の中でも、好ましくは、ニトロ基、スルホ基、ハロゲン基、カルボキシ基、ヒドロキシ基、メトキシ基、エトキシ基である。また、前記電子吸引性の官能基の他に、例えば、フェニル基（Ｃ６Ｈ５−）、スチリル基（Ｃ６Ｈ５ＣＨ＝ＣＨ−）等の不飽和炭化水素基等もあげられる。なお、前記官能基は、解離によりイオン化していてもよい。
前記テトラゾリウム化合物が、テトラゾール環の２位および３位にベンゼン環を有し、前記ベンゼン環のうち少なくとも一方が、ハロゲン基、カルボキシ基、ニトロ基、ヒドロキシ基、スルホ基、メトキシ基およびエトキシ基からなる群から選択された少なくとも１つの官能基を有することが好ましい。なお、前記両方のベンゼン環が、前記官能基を有してもよい。前記ベンゼン環において、いずれの箇所（ｏｒｔｈｏ−、ｍｅｔａ−、ｐｒａ−）に前記官能基を有してもよい。また、官能基の数も特に制限されず、同じ官能基を有しても、異なる宮能基を有してもよい。
前記テトラゾリウム化合物は、例えば、前記テトラゾール環の２位、３位および５位にベンゼン環構造置換基を有する化合物として、例えば、２−（４−ヨードフェニル）−３−（４−ニトロフェニル）−５−（２，４−ジスルホフェニル）−２Ｈ−テトラゾリウム塩、２−（４−ヨードフェニル）−３−（２，４−ジニトロフェニル）−５−（２，４−ジスルホフェニル）−２Ｈ−テトラゾリウム塩、２−（２−メトキシ−４−ニトロフェニル）−３−（４−ニトロフェニル）−５−（２，４−ジスルホフェニル）−２Ｈ−テトラゾリウム塩、２−（４−ヨードフェニル）−３−（４−ニトロフェニル）−５−フェニル−２Ｈ−テトラゾリウム塩、３，３’−（１，１’ビフェニル−４，４’−ジル）−ビス（２，５−ジフェニル）−２Ｈ−テトラゾリウム塩、３，３’−［３，３’−ジメトキシ−（１，１’−ビフェニル）−４，４’−ジル］−ビス［２−（４−ニトロフェニル）−５−フェニル−２Ｈ−テトラゾリウム塩］、２，３−ジフェニル−５−（４−クロロフェニル）テトラゾリウム塩、２，５−ジフェニル−３−（ｐ−ジフェニル）テトラゾリウム塩、２，３−ジフェニル−５−（ｐ−ジフェニル）テトラゾリウム塩、２，５−ジフェニル−３−（４−スチリルフェニル）テトラゾリウム塩、２，５−ジフェニル−３−（ｍ−トリル）テトラゾリウム塩および２，５−ジフェニル−３−（ｐ−トリル）テトラゾリウム塩等があげられる。
また、前記テトラゾリウム化合物は、前述のような化合物には制限されず、この他に、前記テトラゾール環の２箇所にベンゼン環構造置換基および１箇所にその他の環構造置換基を有する化合物も使用でき、例えば、２，３−ジフェニル−５−（２−チエニル）テトラゾリウム塩、２−ベンゾチアゾイル−３−（４−カルボキシ−２−メトキシフェニル）−５−［４−（２−スルホエチル  カルバモイル）フェニル］−２Ｈ−テトラゾリウム塩、２，２’−ジベンゾチアゾイル−５，５’−ビス［４−ジ（２−スルホエチル）カルバモイルフェニル］−３，３’−（３，３’−ジメトキシ−４，４’−ビフェニレン）ジテトラゾリウム塩および３−（４，５−ジメチル−２−チアゾイル）−２，５−ジフェニル−２Ｈ−テトラゾリウム塩等があげられる。
また、前記テトラゾール環の２箇所にベンゼン環構造置換基および１箇所に環構造でない置換基を有するテトラゾリウム化合物も使用でき、例えば、２，３−ジフェニル−５−シアノテトラゾリウム塩、２，３−ジフェニル−５−カルボキシテトラゾリウム塩、２，３−ジフェニル−５−メチルテトラゾリウム塩、２，３−ジフェニル−５−エチルテトラゾリウム塩等があげられる。
前述のテトラゾリウム化合物の中でも、前述のように、環構造置換基を３つ有する化合物が好ましく、より好ましくは、環構造がベンゼン環である置換基を３つ有し、かつ電子吸引性官能基を多く有するものであり、特に好ましくは、前述のように２−（４−ヨードフェニル）−３−（２，４−ジニトロフェニル）−５−（２，４−ジスルホフェニル）−２Ｈ−テトラゾリウム塩である。なお、このようなテトラゾリウム化合物は、例えば、塩でもよいし、イオン化された状態等であってもよい。また、テトラゾリウム化合物は、一種類でもよいし、二種類以上を併用してもよい。
本発明のＨｂ測定方法において使用できる前記界面活性剤としては、特に制限されないが、例えば、ポリオキシエチレンエーテル等が好ましい。このポリオキシエチレンエーテル［ＣＬＨＭ−Ｏ−（ＣＨ２ＣＨ２Ｏ）ＮＨ］は、ポリオキシエチレン鎖と炭化水素鎖とがエーテル結合しており、前記炭化水素鎖としては、例えば、アルキル基、アルキルフェニル基等があげられる。前記ポリオキシエチレン鎖の重量平均重合度（Ｎ）は８〜２３の範囲であり、他方の炭化水素鎖の炭素数（Ｌ）は８〜１８の範囲であることが好ましく、より好ましくは前記重量平均重合度（Ｎ）が８〜１５の範囲であり、炭化水素鎖の炭素数（Ｌ）が８〜１６の範囲であり、特に好ましくは前記重量平均重合度（Ｎ）が８〜１０の範囲であり、炭化水素鎖の炭素数（Ｌ）が８〜１４の範囲である。また、前記炭化水素鎖は、例えば、直鎖でもよく、分岐鎖を有していてもよい。前記ポリオキシエチレンエーテルの具体例としては、例えば、ポリオキシエチレン−ｐ−ｔ−オクチルフェニルエーテル、ポリエチレングリコール（１０）ラウリルエーテル、ポリエチレングリコール（９）ラウリルエーテル等があげられる。これらは、いずれか一種類でもよいし、二種類以上を併用してもよい。
より具体的には、例えば、ポリオキシエチレン−ｐ−ｔ−オクチルフェニルエーテルである市販のＴｒｉｔｏｎ系界面活性剤等、ポリオキシエチレンソルビタンアルキルエステルである市販のＴｗｅｅｎ系界面活性剤等、ポリオキシエチレンアルキルエーテルである市販のＢｒｉｊ系界面活性剤等が使用できる。この他に、例えば、ポリオキシエチレン（１０）ラウリルエーテル、商品名Ｎｉｋｋｏｌ  ＢＬ−９ＥＸ（ポリオキシエチレンの重量平均重合度Ｎが９：和光純薬工業社製）等のようなポリオキシエチレン（９）ラウリルエーテル、商品名Ｔｅｒｇｉｔｏｌ  ＮＰＸ（ポリオキシエチレンの重量平均重合度Ｎが約１０．５：ナカライテスク社製）および商品名Ｔｅｒｇｉｔｏｌ  ＮＰ−４０（ポリオキシエチレンの重量平均重合度Ｎが２０：ナカライテスク社製）等のようなポリオキシエチレンオクチルフェニルエーテル等も使用できる。
本発明のＨｂ糖化率の測定方法において使用する前記ＦＡＯＤとしては、下記式（１）に示す反応を触媒するＦＡＯＤであることが好ましい。
0004803696.tif 000002
前記式（１）において、Ｒ１は、水酸基もしくは糖化反応前の糖に由来する残基（糖残基）を示す。前記糖残基（Ｒ１）は、反応前の糖がアルドースの場合はアルドース残基であり、反応前の糖がケトースの場合、ケトース残基である。例えば、反応前の糖がグルコースの場合は、アマドリ転位により、反応後の構造はフルクトース構造をとるが、この場合、糖残基（Ｒ１）は、グルコース残基（アルドース残基）となる。この糖残基（Ｒ１）は、例えば、
−［ＣＨ（ＯＨ）］ｎ−ＣＨ２ＯＨ
で示すことができ、ｎは、０〜６の整数である。
前記式（１）において、Ｒ２は、特に制限されないが、例えば、糖化アミノ酸、糖化ペプチドまたは糖化タンパク質の場合、α−アミノ基が糖化されている場合と、それ以外のアミノ基が糖化されている場合とで異なる。
前記式（１）において、α−アミノ基が糖化されている場合、Ｒ２は、下記式（２）で示すアミノ酸残基またはペプチド残基である。
0004803696.tif 000003
前記式（２）において、Ｒ３はアミノ酸側鎖基を示す。また、Ｒ４は水酸基、アミノ酸残基またはペプチド残基を示し、例えば、下記式（３）で示すことができる。下記式（３）において、ｎは、０以上の整数であり、Ｒ３は、前述と同様にアミノ酸側鎖基を示す。
0004803696.tif 000004
また、前記式（１）において、α−アミノ基以外のアミノ基が糖化されている（アミノ酸側鎖基が糖化されている）場合、Ｒ２は下記式（４）で示すことができる。
0004803696.tif 000005
前記式（４）において、Ｒ５は、アミノ酸側鎖基のうち、糖化されたアミノ基以外の部分を示す。例えば、糖化されたアミノ酸がリジンの場合、Ｒ５は
−ＣＨ２−ＣＨ２−ＣＨ２−ＣＨ２−
であり、
例えば、糖化されたアミノ酸がアルギニンの場合、Ｒ５は、
−ＣＨ２−ＣＨ２−ＣＨ２−ＮＨ−ＣＨ（ＮＨ２）−
である。
また、前記式（４）において、Ｒ６は、水素、アミノ酸残基またはペプチド残基であり、例えば、下記式（５）で示すことができる。なお、下記式（５）において、ｎは０以上の整数であり、Ｒ３は、前述と同様にアミノ酸側鎖基を示す。
0004803696.tif 000006
また、前記式（４）において、Ｒ７は、水酸基、アミノ酸残基またはペプチド残基であり、例えば、下記式（６）で示すことができる。なお、下記式（６）において、ｎは０以上の整数であり、Ｒ３は、前述と同様にアミノ酸側鎖基を示す。
0004803696.tif 000007
本発明のＨｂ糖化率の測定方法おいて、前記プロテアーゼとしては、特に制限されないが、例えば、セリンプロテアーゼ、チオールプロテアーゼ、メタロプロテナーゼ等が使用でき、具体的には、トリプシン、プロティナーゼＫ、キモトリプシン、パパイン、ブロメライン、ズブチリシン、エラスターゼ、アミノペプチダーゼ等が好ましい。より好ましくは、前記糖化Ｈｂを選択的に分解するプロテアーゼであり、ブロメライン、パパイン、ブタ膵臓由来トリプシン、メタロプロテナーゼ、Ｂａｃｉｌｌｕｓ ｓｕｂｔｉｌｌｉｓ由来のプロテアーゼ等が好ましい。前記Ｂａｃｉｌｌｕｓ ｓｕｂｔｉｌｉｓ由来プロテアーゼとしては、商品名プロテアーゼＮ（例えば、フルカ社製）、商品名プロテアーゼＮ「アマノ」（天野製薬社製）等があげられる。前記メタロプロテナーゼとしては、Ｂａｃｉｌｌｕｓ属由来メタロプロテナーゼ（ＥＣ３．４．２４．４）（例えば、東洋紡社製：商品名トヨチーム）等があげられる。これらの中でもより好ましくはメタロプロテナーゼ、ブロメライン、パパインであり、特に好ましくはメタロプロテナーゼである。このように、糖化Ｈｂを選択的に分解するプロテアーゼを使用すれば、糖化Ｈｂ分解物を選択的に調製できる、より一層測定精度を向上できる。
つぎに、本発明のＨｂの測定方法について、前記全血を試料とした例をあげて説明する。
まず、全血をそのまま溶血し、または全血から遠心分離等の常法により血球画分を分離してこれを溶血し、溶血試料を調製する。この溶血方法は、特に制限されず、例えば、界面活性剤を用いる方法、超音波による方法、浸透圧の差を利用する方法等が使用でき、この中でも前記界面活性剤を用いる方法が好ましい。
溶血用の界面活性剤としては、特に制限されないが、例えば、ポリオキシエチレン−ｐ−ｔ−オクチルフェニル  エーテル（Ｔｒｉｔｏｎ系界面活性剤等）、ポリオキシエチレン  ソルビタン  アルキル  エステル（Ｔｗｅｅｎ系界面活性剤等）、ポリオキシエチレン  アルキル  エーテル（Ｂｒｉｊ系界面活性剤等）等の非イオン性界面活性剤が使用でき、具体的には、例えば、商品名ＴｒｉｔｏｎＸ−１００、商品名Ｔｗｅｅｎ−２０、商品名Ｂｒｉｊ３５等があげられる。前記界面活性剤による処理条件は、通常、処理溶液中の血球濃度が１〜１０体積％の場合、前記処理溶液中の濃度が０．１〜１重量％になるように前記界面活性剤を添加し、室温で５秒〜１分程度攪拌すればよい。
また、前記浸透圧の差を利用する場合は、例えば、全血の体積に対し２〜１００倍体積量の精製水を添加して溶血できる。
つぎに、前記溶血試料に対して前記テトラゾリウム化合物を添加し、Ｈｂを変性させる。
前記テトラゾリウム化合物としては、前述のようなものが使用でき、例えば、前記溶血試料中の血球濃度が、０．２〜２体積％の場合、濃度０．００５〜４００ｍｍｏｌ／Ｌの範囲になるように添加することが好ましく、より好ましくは０．０２〜１００ｍｍｏｌ／Ｌの範囲、特に好ましくは０．１〜５０ｍｍｏｌ／Ｌの範囲である。具体的に、前記テトラゾリウム化合物が２−（４−ヨードフェニル）−３−（２，４−ジニトロフェニル）−５−（２，４−ジスルホフェニル）−２Ｈ−テトラゾリウム塩の場合、濃度０．００４〜１６ｍｍｏｌ／Ｌの範囲になるように添加することが好ましく、より好ましくは０．０２〜１０ｍｍｏｌ／Ｌの範囲、特に好ましくは０．１〜５ｍｍｏｌ／Ｌの範囲である。
前記テトラゾリウム化合物は、そのまま使用してもよいが、操作の簡便性や処理効率等の点から、溶媒に溶解したテトラゾリウム化合物溶液として使用することが好ましい。前記溶液の濃度は、テトラゾリウム化合物の種類（例えば、分子量等）等により適宜決定でき、例えば、０．０１〜１２０ｍｍｏｌ／Ｌの範囲であり、好ましくは０．１〜５０ｍｍｏｌ／Ｌの範囲、より好ましくは０．２〜２０ｍｍｏｌ／Ｌの範囲である。前記溶媒としては、例えば、蒸留水、生理食塩水、緩衝液等が使用でき、前記緩衝液としては、例えば、ＭＥＳ、ＭＯＰＳ、リン酸、ＡＤＡ、ＰＩＰＥＳ、ＡＣＥＳ、ＣＨＥＳ、ＨＥＰＥＳ等の緩衝液等が使用できる。また、前記緩衝液のｐＨは、例えば、５．５〜１０．０の範囲であることが好ましい。
前記テトラゾリウム化合物による処理条件は、特に制限されないが、例えば、温度４〜５０℃の範囲、処理時間２０秒〜６０分の範囲であり、好ましくは、温度１５〜４０℃の範囲、処理時間２０秒〜２０分の範囲であり、より好ましくは、温度２５〜３７℃の範囲、処理時間３０秒〜６分の範囲である。
また、このテトラゾリウム化合物処理は、前述のように界面活性剤存在下で行うことにより、さらにＨｂの変性を促進できる。このため、操作の簡便性等から試料の溶血時に、予めテトラゾリウム化合物を添加しておいてもよい。
界面活性剤の添加量は、特に制限されないが、例えば、前記溶血試料中の血球濃度が、０．２〜１体積％の場合、濃度０．０５〜５０ｍｍｏｌ／Ｌの範囲になるように添加することが好ましく、より好ましくは０．２〜３０ｍｍｏｌ／Ｌの範囲、特に好ましくは０．３〜１０ｍｍｏｌ／Ｌの範囲である。具体的に、前記界面活性剤が商品名ＴｒｉｔｏｎＸ−１００の場合、濃度０．２〜１００ｍｍｏｌ／Ｌの範囲になるように添加することが好ましく、より好ましくは１〜３０ｍｍｏｌ／Ｌの範囲、特に好ましくは２〜２０ｍｍｏｌ／Ｌの範囲である。また、商品名Ｂｒｉｊ３５の場合、濃度０．１〜５０ｍｍｏｌ／Ｌの範囲になるように添加することが好ましく、より好ましくは０．５〜２０ｍｍｏｌ／Ｌの範囲、特に好ましくは１〜１０ｍｍｏｌ／Ｌの範囲である。
また、前記界面活性剤は、前記テトラゾリウム化合物１ｍｏｌに対して、例えば、０．０１〜７０ｍｏｌの範囲になるように添加してもよく、好ましくは０．０５〜５０ｍｏｌの範囲、より好ましくは０．１〜２０ｍｏｌの範囲である。
具体的に、前記界面活性剤が商品名ＴｒｉｔｏｎＸ−１００の場合、テトラゾリウム化合物１ｍｍｏｌに対して、０．０５〜１５ｍｍｏｌの範囲になるように添加することが好ましく、より好ましくは０．１〜１０ｍｍｏｌの範囲、特に好ましくは０．２〜５ｍｍｏｌの範囲である。また、また、商品名Ｂｒｉｊ３５の場合、テトラゾリウム化合物１ｍｍｏｌに対して、０．０５〜１０ｍｍｏｌの範囲になるように添加することが好ましく、より好ましくは０．１〜８ｍｍｏｌの範囲、特に好ましくは０．２〜４ｍｍｏｌの範囲である。なお、界面活性剤は、試料の溶血時に、予めＨｂ変性を促進できる十分量を添加しておいてもよい。
つぎに、前記変性Ｈｂの吸光度測定を行う。測定波長は、前述のように、４４０〜７００ｎｍの範囲が好ましく、より好ましくは５００〜６７０ｎｍの範囲であり、特に好ましくは５４０〜６７０ｎｍの範囲である。また、前記波長を主波長として二波長測定を行う場合、副波長は、７３０〜９００ｎｍの範囲が好ましく、より好ましくは８００〜９００ｎｍの範囲であり、特に好ましくは８００〜８５０ｎｍの範囲である。
そして、測定した吸光度と、予め準備した検量線とから、Ｈｂ量を求める。このように、試料中のＨｂをテトラゾリウム化合物で変性させれば、変性Ｈｂとしてその量を容易かつ正確に求めることができる。
なお、前記検量線は、例えば、各種濃度のＨｂ含有試料を、本発明のＨｂ測定方法および公知の測定方法によって測定し、これらの測定値から作成することができる。前記公知の測定方法としては、測定精度に優れる方法であれば特に制限されないが、例えば、国際標準であるＨｉＣＮ法が好ましい。また、既知濃度のＨｂを含む標準試料を、本発明のＨｂ測定方法によって測定し、その測定値と前記既知濃度とから検量線を作成してもよい。
つぎに、本発明のＨｂ糖化率測定方法について、前記全血を試料とした第１の測定方法の一例を説明する。
まず、前述と同様に、調製した溶血試料をテトラゾリウム化合物で処理して、その吸光度を測定し、Ｈｂ量を求める。
そして、前記処理済の溶血試料をプロテアーゼ処理し、変性Ｈｂを分解する。前述のように後に添加するＦＡＯＤは、糖化タンパク質や糖化ペプチドよりも、糖化アミノ酸やより短い糖化ペプチド断片に作用し易いためである。
前記プロテアーゼとしてパパインを用いて、前記溶血試料を処理する場合、通常、反応液中のプロテアーゼ濃度１００〜３０，０００Ｕ／Ｌ、反応液中の血球濃度０．０７〜１２体積％または反応液中のＨｂ濃度０．１〜１０ｇ／Ｌ、反応温度１５〜６０℃、反応時間１０分〜４０時間、ｐＨ５〜９の範囲である。また、前記緩衝液の種類も特に制限されず、例えば、トリス塩酸緩衝液、ＥＰＰＳ緩衝液、ＰＩＰＥＳ緩衝液、リン酸緩衝液、ＡＤＡ緩衝液、クエン酸緩衝液、酢酸緩衝液等が使用できる。
また、プロテアーゼとしてメタロプロテナーゼを用いて、前記溶血試料を処理する場合、通常、反応液中のプロテアーゼ濃度１０〜１０，０００ＫＵ／Ｌ、反応液中の血球濃度０．０７〜１２体積％または反応液中のＨｂ濃度０．１〜１０ｇ／Ｌ、反応温度１５〜６０℃、反応時間１０分〜４０時間、ｐＨ６〜９の範囲である。前記緩衝液は、前述と同様のものが使用できる。また、他のプロテアーゼも同様に使用できる。
つぎに、前記プロテアーゼ処理によって得られた変性Ｈｂ分解物を、ＦＡＯＤで処理する。このＦＡＯＤ処理により、前記式（１）に示す反応が触媒される。
このＦＡＯＤ処理は、前記プロテアーゼ処理と同様に緩衝液中で行うことが好ましい。その処理条件は、使用するＦＡＯＤの種類、測定対象物である糖化Ｈｂの濃度等により適宜決定される。
具体的には、例えば、反応液中のＦＡＯＤ濃度５０〜５０，０００Ｕ／Ｌ、反応液中の血球濃度０．０１〜１体積％、反応温度１５〜３７℃、反応時間１〜６０分、ｐＨ６〜９の範囲である。前記緩衝液の種類も特に制限されず、前記プロテアーゼ処理と同様の緩衝液が使用できる。
つぎに、ＰＯＤおよび前記発色性基質を添加して、前記ＦＡＯＤ処理で生成した過酸化水素と前記発色性基質とをＰＯＤにより酸化還元反応させる。
前記発色性基質としては、例えば、Ｎ−（カルボキシメチルアミノカルボニル）−４，４’−ビス（ジメチルアミノ）ジフェニルアミンナトリウム、オルトフェニレンジアミン（ＯＰＤ）、トリンダー試薬と４−アミノアンチピリンとを組み合せた基質等があげられる。前記トリンダー試薬としては、例えば、フェノール、フェノール誘導体、アニリン誘導体、ナフトール、ナフトール誘導体、ナフチルアミン、ナフチルアミン誘導体等があげられる。また、前記４−アミノアンチピリンの他に、アミノアンチピリン誘導体、バニリンジアミンスルホン酸、メチルベンズチアゾリノンヒドラゾン（ＭＢＴＨ）、スルホン化メチルベンズチアゾリノンヒドラゾン（ＳＭＢＴＨ）等も使用できる。このような発色性基質の中でも、特に好ましくは、前述のように、Ｎ−（カルボキシメチルアミノカルボニル）−４，４’−ビス（ジメチルアミノ）ジフェニルアミンナトリウムである。
前記酸化還元反応は、通常、緩衝液中で行われ、その条件は、前記生成した過酸化水素の濃度等により適宜決定される。通常、反応液中のＰＯＤ濃度１０〜２０，０００ＩＵ／Ｌ、発色性基質濃度０．０００１〜１ｍｍｏｌ／Ｌ、反応温度２０〜３７℃、反応時間１〜５分、ｐＨ６〜９である。また、前記緩衝液は、特に制限されず、例えば、前記プロテアーゼ処理およびＦＡＯＤ処理等と同様の緩衝液等が使用できる。
そして、前記酸化還元反応により、前記発色性基質を発色させ、前記反応液の発色程度（吸光度）を分光光度計で測定する。この吸光度と検量線とから、例えば、過酸化水素の量を介して、または直接Ｈｂ糖化量を求めることができる。
前記吸光度の検出波長は、特に制限されず、前記発色基質の種類により適宜決定できるが、６５０〜９００ｎｍの範囲が好ましく、より好ましくは６５０〜８００ｎｍの範囲であり、特に好ましくは６５０〜７６０ｎｍの範囲である。また、前記波長を主波長として二波長測定を行う場合、副波長は、７３０〜９００ｎｍの範囲が好ましく、より好ましくは８００〜９００ｎｍの範囲であり、特に好ましくは８００〜８５０ｎｍの範囲である。なお、副波長は、通常、主波長よりも高く設定し、少なくとも３０ｎｍ以上高く設定することが好ましく、より好ましくは５０ｎｍ以上である。
具体的に、発色基質としてＮ−（カルボキシメチルアミノカルボニル）−４，４’−ビス（ジメチルアミノ）ジフェニルアミンナトリウムを用いた場合、測定波長は、６５０〜７６０ｎｍの範囲が好ましく、より好ましくは６９０〜７６０ｎｍの範囲である。また、前記波長を主波長として二波長測定を行う場合、副波長は、８００〜９００ｎｍの範囲が好ましく、より好ましくは８００〜８５０ｎｍの範囲である。
この糖化率測定方法において、前述の変性Ｈｂの測定波長と、発色性基質の測定波長とは、お互いが重ならない波長に設定することが好ましい。さらに、発色性基質について二波長測定を行う場合は、主波長および副波長は、変性Ｈｂが吸収を示さない範囲に設定することが好ましい。なお、発色反応前に、発色基質の測定波長で吸光度を測定しておき、これにより発色反応後の吸光度を補正すれば、より精度を向上することができる。
一方、前述の変性Ｈｂの測定波長と、発色性基質の測定波長とを、同じ波長に設定することもできる。この場合、Ｈｂをテトラゾリウム化合物で変性した後に測定した吸光度を、変性Ｈｂの吸光度とし、さらに、この吸光度によって、発色反応後に測定した吸光度を補正すればよい。つまり、発色反応後の吸光度の値から、変性Ｈｂの吸光度の値を引けば、それが発色した基質の吸光度となるからである。
このように、前記両測定波長を同じ波長にする場合は、前記波長は、例えば、４４０〜７００ｎｍの範囲が好ましく、より好ましくは５００〜６７０ｎｍの範囲であり、特に好ましくは５４０〜６７０ｎｍの範囲である。
そして、測定した吸光度と、予め準備した検量線とから、Ｈｂ糖化量を求め、このＨｂ糖化量と前述のＨｂ量とから、Ｈｂ糖化率を算出する。
前記検量線は、例えば、既知量の糖化Ｈｂを含む標準試料について、本発明のＨｂ糖化率測定方法に従って、発色反応後の吸光度を測定し、この吸光度と前記既知濃度とから作成できる。
なお、前記過酸化水素量は、前記ＰＯＤ等を用いた酵素的手法の他に、例えば、電気的手法により測定することもできる。
このように、Ｈｂをテトラゾリウム化合物により変性させてその量を測れば、Ｈｂ量と糖化量の測定を一連の操作で行うことができるため、迅速かつ簡便に測定できる。また、試料に予めテトラゾリウム化合物を添加するため、試料中に存在する各種還元物質の酸化還元反応に対する影響が排除され、測定精度をさらに向上できる。
なお、Ｈｂ糖化率は、例えば、ヒトのＨｂを対象とする場合、ＨｂＡ１ｃ％と呼ばれることから、本発明のＨｂ糖化率の測定方法は、ＨｂＡ１ｃ％の測定に有用な方法である。
つぎに、本発明のＨｂ糖化率測定方法について、前記全血を試料とした第２の測定方法の一例を説明する。
前述と同様にして前記溶血試料中のＨｂをテトラゾリウム化合物によって変性させ、さらに前記試料をプロテアーゼ処理した後に、ＦＡＯＤ処理を行う。このＦＡＯＤ処理した反応液について、変性Ｈｂの測定と、前記反応液の発色程度（吸光度）を分光光度計で測定すればよい。
この場合、同一の反応液について、変性Ｈｂおよび発色程度の測定を行うため、両者に対する測定波長は異なる波長に設定する必要がある。例えば、変性Ｈｂの測定波長（Ａ）が４４０〜７００ｎｍの範囲、発色程度の測定波長（Ｂ）が５００〜８００ｎｍの範囲であり、好ましくは（Ａ）が５００〜６７０ｎｍの範囲、（Ｂ）が５４０〜６７０ｎｍの範囲であり、より好ましくは（Ａ）が５４０〜６７０ｎｍの範囲、（Ｂ）が５４０〜６７０ｎｍの範囲である。なお、（Ａ）と（Ｂ）は、例えば、３０ｎｍ以上離れた波長に設定することが好ましい。
また、二波長測定を行う場合は、例えば、以下のように設定することができる。例えば、（Ａ）の主波長が４４０〜７００ｎｍの範囲、副波長が７３０〜９００ｎｍの範囲、（Ｂ）の主波長が５００〜８００ｎｍの範囲、副波長が８００〜９００ｎｍの範囲であることが好ましく、より好ましくは、（Ａ）の主波長５００〜６７０ｎｍの範囲、副波長７３０〜９００ｎｍの範囲、（Ｂ）の主波長５４０〜７５０ｎｍの範囲、副波長８００〜９００ｎｍの範囲であり、より好ましくは、（Ａ）の主波長５４０〜６７０ｎｍの範囲、副波長８００〜８５０ｎｍの範囲、（Ｂ）の主波長５４０〜７５０ｎｍの範囲、副波長８００〜８５０ｎｍの範囲である。
実施例
つぎに、実施例について説明する。
（実施例１）
この実施例は、血球中のＨｂをテトラゾリウム化合物で変性処理してその吸光度から求めたＨｂ濃度と、国際標準であるＨｉＣＮ法によるＨｂ濃度との相関関係を調べた例である。以下に、使用した試料、試薬および方法を示す。
（試料の調製）
採取した健常人および糖尿病患者の全血をそれぞれ遠心分離（２０００Ｇ、３分間）によって、血球と血漿とに分離回収し、前記血球と血漿とを所定の割合に混合した（血球：血漿＝１０：０、９：１、８：２、７：３、６：４、５：５、４：６）。そして、これらの混合液を、０．４重量％商品名ＴｒｉｔｏｎＸ−１００（和光純薬工業社製、以下同じ）水溶液で１５倍（体積）希釈したものを試料とし、合計４５個の試料を調製した。
（標準液）
商品名ヘモコンＮ（アズウェル社製）を２．４重量％商品名ＴｒｉｔｏｎＸ−１００水溶液で溶解して、Ｈｂ濃度が所定濃度（０、５０、１００、２００、３００ｇ／Ｌ）になるように調製したものを標準液とした。
（ＷＳＴ−３溶液  ：以下同じ）
濃度が１．６６ｍＭになるように、テトラゾリウム化合物である下記式（７）に示す２−（４−ヨードフェニル）−３−（２，４−ジニトロフェニル）−５−（２，４−ジスルホフェニル）−２Ｈ−テトラゾリウム  モノナトリウム塩（商品名  ＷＳＴ−３、同仁化学研究所社製、以下同じ）を精製水に溶解して調製した。
0004803696.tif 000008
（緩衝液）
０．１ｍＭ  ＣＨＥＳ緩衝液（ｐＨ９．０）
（測定方法）
前記試料を精製水で３倍希釈した希釈液２５μＬに前記ＣＨＥＳ緩衝液１５μＬを混合してから、前記ＷＳＴ−３溶液４５μＬを添加した。これを３７℃で５分間インキュベートした後、生化学自動分析装置（商品名ＪＣＡ−ＢＭ８  ：日本電子社製、以下同じ）を用いて主波長５９６ｎｍおよび副波長８８４ｎｍの吸光度を測定した。以下、この吸光度を「ＷＳＴ−３法による吸光度」という。また、対照として、前記試料について、商品名ヘモグロビンテストワコー（和光純薬工業社製）を用いたＨｉＣＮ法によりＨｂ濃度を測定した。以下、この濃度を「ＨｉＣＮ法によるＨｂ濃度」という。
他方、前記標準液について、前記ＷＳＴ−３法による吸光度の測定を行い、前記吸光度とＨｂ濃度との関係を示す検量線を作成した。得られた検量線を下記式に示す。
ｙ＝５０５．１ｘ−６．１６９２
ｙ  ：  Ｈｂ濃度（ｇ／Ｌ）
ｘ  ：  ＷＳＴ−３法による吸光度
そして、前記試料についてのＷＳＴ−３法による吸光度を前記検量線に代入し、Ｈｂ濃度を求めた。この検量線から求めたＨｂ濃度および前記試料についてのＨｉＣＮ法によるＨｂ濃度の結果を図１のグラフに示す。
図１は、前記検量線から求めたＨｂ濃度（ｇ／Ｌ）とＨｉＣＮ法によるＨｂ濃度（ｇ／Ｌ）との相関関係を示すグラフである。得られた相関式の傾きは「０．９７３３」であり「１」に近いことから、実施例１によれば、対照のＨｉＣＮ法によるＨｂ測定と同様に優れた精度でＨｂ濃度を測定できることがわかった。また、その相関係数はｒ＝０．９９７８であることから、安定して高精度の測定を行えることがわかった。
（実施例２）
この実施例は、本発明のＨｂ測定方法によりＨｂ量を測定し、対照例であるＳＬＳ法によるＨｂ量との相関関係を調べた例である。以下に、使用した試料、試薬、測定方法等を示す。
（溶血試薬）
ＴＡＰＳ（同仁化学社製）                １４０ｍｍｏｌ／Ｌ
グリシンアミド（ナカライテスク社製）      ６０ｍｍｏｌ／Ｌ
ポリオキシエチレンラウリルエーテル（ナカライテスク社製）  ２４ｇ／Ｌ
（第１試薬：ｐＨ５．５）
ＭＥＳ（同仁化学社製）                      ５ｍｍｏｌ／Ｌ
ＷＳＴ−３                                  ２ｍｍｏｌ／Ｌ
アジ化ナトリウム（ナカライテスク社製）      ０．０５ｇ／Ｌ
ＣａＣｌ２（ナカライテスク社製）            ５ｍｍｏｌ／Ｌ
ＮａＣｌ（ナカライテスク社製）          １５０ｍｍｏｌ／Ｌ
メタロプロテナーゼ（商品名トヨチーム：東洋紡社製）          ３ｇ／Ｌ
（第２試薬：ｐＨ６．９）
ＦＡＯＤ（アークレイ社製）                    ２６ＫＵ／Ｌ
ＰＯＤ（東洋紡社製）                          ７８ＫＵ／Ｌ
ＤＡ−６４（和光純薬工業社製）          ０．０５２ｍｍｏｌ／Ｌ
Ｔｒｉｓ−ＨＣｌ（ナカライテスク社製）      ２００ｍｍｏｌ／Ｌ
（試料）
糖尿病患者および健常者合計７１人の全血をそれぞれ採血し、これらを遠心分離（１０００Ｇ、１０分間）して、血球画分を回収した。そして血球画分１０μＬに、前記溶血試薬４０μＬを添加して、溶血試料を調製した（以下同じ）。
（測定方法）
前記溶血試料１０μＬに精製水１０μＬを添加し、さらに、前記第１試薬６５μＬを添加して３７℃でインキュベートを行った（反応液量８５μＬ）。そして、インキュベート開始後４．５分後に、前記反応液について、前記生化学自動分析装置により所定の波長（５４５ｎｍ、５７１ｎｍ、５９６ｎｍ、６５８ｎｍ、６９４ｎｍ、７５１ｎｍ）における吸光度を測定した。この測定値を、以下、「一回目の測定値」という。
つぎに、インキュベート開始５分後に、前記反応液に前記第２試薬４５μＬを添加して、３７℃で３分間インキュベートを行った（反応液量１３０μＬ）。そして、この反応液について、前記装置により前記所定の波長（５４５ｎｍ、５７１ｎｍ、５９６ｎｍ）における吸光度を測定した。この測定値を、以下、「２回目の測定値」という。
対照例として、前述のＳＬＳ法によりＨｂの測定を行った。まず、前記実施例２と同じ溶血試料４μＬに、精製水４μＬを添加し、さらに下記ＳＬＳ法試薬１００μＬを添加して、３７℃で５分間インキュベートした。そして、インキュベーション開始から５分後に、５４５ｎｍにおける吸光度を前記装置により測定した。
（ＳＬＳ法試薬）
ＳＬＳ                                          ０．６４ｇ
Ｔｒｉｔｏｎ  Ｘ−１００                        ０．７５ｇ
リン酸カリウム緩衝液（ｐＨ７．２）              １．０Ｌ
全試料（７１検体）について測定した、実施例の一回目および二回目の吸光度と、ＳＬＳ法による対照例の吸光度をプロットし（図示せず）、対照例に対する実施例の相関係数を求めた。これらの結果を下記表１に示す。
0004803696.tif 000009
以上のように、本発明のＨｂ測定方法によれば、ＳＬＳ法と高い相関関係を示す測定が可能である。また、第１試薬によりＨｂを変性させた直後に測定した場合だけでなく、前記第２試薬により発色反応を行った後でも、変性Ｈｂを正確に測定できた。
（実施例３）
この実施例は、本発明のＨｂ糖化率測定方法によりＨｂＡ１ｃ％を測定し、対照例との相関関係を調べた例である。
前記実施例２と同様にして、前記溶血試料（７１検体）について、一回目の吸光度測定（測定波長５７１ｎｍ）および二回目の吸光度測定（７５１ｎｍ）を行った。一方、Ｈｂ量およびＨｂＡ１ｃ量が既知である標準試料を用いて、本発明による一回目の吸光度と既知Ｈｂ量との関係を示す検量線（Ｈｂ検量線）および本発明による二回目の吸光度と既知ＨｂＡ１ｃ量との関係を示す検量線（ＨｂＡ１ｃ検量線）を作成した。
つぎに、前記一回目の吸光度を前記Ｈｂ検量線に、二回目の吸光度を前記ＨｂＡ１ｃ検量線に代入し、それぞれＨｂ量およびＨｂＡ１ｃ量を求めた。そして、得られたＨｂ量およびＨｂＡ１ｃ量を下記式に代入してＨｂＡ１ｃ％を求めた。ＨｂＡ１ｃ％  ＝  （ＨｂＡ１ｃ量／Ｈｂ量）×１００
対照例としては、同じ溶血試料（７１検体）について、前記ＳＬＳ法によりＨｂ量を、商品名ラピディアオートＨｂＡ１ｃ（ＳＲＬ社製）により、ＨｂＡ１ｃ％を測定した。そして、対照例のＨｂ濃度およびＨｂＡ１ｃ％に対する実施例の相関係数をそれぞれ求めた。
その結果、Ｈｂ量の相関係数は０．９９４、ＨｂＡ１ｃ％の相関係数は０．９８４１であり、本発明のＨｂ測定方法およびＨｂ糖化率測定方法が、非常に高精度な方法であることがわかる。
（実施例４）
この実施例は、本発明のＨｂ糖化率の測定方法によりＨｂＡ１ｃ％を測定し、対照例との相関関係を調べた例である。
前記実施例２と同様にして、前記溶血試料（７１検体）について、一回目の吸光度測定と、二回目の吸光度測定とを行った（以下、「補正前の吸光度」ともいう）。なお、一回目の吸光度測定における測定波長は、５９６ｎｍ、６５８ｎｍ、６９４ｎｍ、７５１ｎｍであり、この吸光度を変性Ｈｂの吸光度とした。また、二回目の吸光度測定における測定波長は、５９６ｎｍ、６５８ｎｍ、６９４ｎｍおよび７９１ｎｍである。
前述のように、前記実施例３の結果によると、７５１ｎｍにおいて二回目の吸光度測定を行った場合のＨｂＡ１ｃ％は、対照例に対する相関係数が０．９８４１と非常に高い値であった。したがって、７５１ｎｍでの吸光度測定を行った場合、ＨｂＡ１ｃ量を高精度に測定できることは証明されているといえる。このことから、７５１ｎｍにおける二回目の吸光度を基準とし、これに対する各波長における二回目の吸光度の相関係数を求めた。
さらに、前記二回目の吸光度について、各波長における一回目の吸光度を用いて、下記式に基づき補正を行った（以下、「補正後の吸光度」という）。そして、７５１ｎｍにおける補正後の吸光度を基準として、これに対する各波長における補正後の吸光度の相関関係を求めた。これらの結果を下記表２に示す。
補正後の吸光度＝Ａ２−（Ａ１×８５／１３０）
Ａ１：一回目の吸光度
Ａ２：二回目の吸光度
0004803696.tif 000010
以上の結果から、各波長において、７５１ｎｍの吸光度と高い相関関係がみられ、さらに補正を行うことによって、より相関係数は向上した。そして、Ｈｂ濃度に関しては、実施例２の結果から高精度で測定できることがわかっている。したがって、実施例２および本実施例４の結果から、本発明の糖化率測定方法によれば、ＨｂＡ１ｃ％を高精度で測定できることがわかる。また、このように補正を行えば、変性Ｈｂおよび糖化Ｈｂの吸光度測定を、おなじ測定波長で行うこともできる。同じ測定波長であれば、例えば、測定装置の条件設定等も簡単であり、さらに簡便かつ迅速な測定も可能になる。
産業上の利用の可能性
以上のように、本発明のＨｂの測定方法によれば、試料中のＨｂを環境上問題なく容易かつ正確に測定できる。また、Ｈｂの糖化率を測定する際に、本発明のＨｂ測定方法によりテトラゾリウム化合物で試料を処理しても、前記テトラゾリウム化合物は酸化還元反応を利用した糖化量の測定には影響しない。このため、Ｈｂ量の測定と糖化量の測定とを一連の操作で、簡便かつ高精度に行うことができる。このため、本発明のＨｂ測定方法を利用したＨｂ糖化率の測定方法を、例えば、臨床検査の分野等に適用すれば、糖化Ｈｂの糖尿病診断等の指標物質としての信頼性および重要性がさらに向上する。
【図面の簡単な説明】
図１は、本発明のＨｂ測定方法の一実施例において、本発明の測定方法によるＨｂ濃度と対照Ｈｂ濃度との相関関係を示したグラフである。
【図１】
0004803696.tif 000011